(57)【要約】【課題】台風時等の風圧によって窓ガラスが大きく撓むのを防止でき、ベランダの窓ガラス等にも問題なく適用でき、さらに、組立、分解が容易で、広い保管スペースを要しない窓ガラス破損防止具を提供する。【解決手段】吸盤１１を取り付けた複数の縦方向支持体１０と横方向支持体２０を複数用意し、まず窓ガラス２の周囲の窓ガラス枠１の屋外側に、縦方向支持体１０を、吸盤１１を用いて窓ガラス２に軽く吸着させながら所定間隔で配置する。次いで横方向支持体２０の凹部２１に縦方向支持体１０を嵌め込み、縦方向支持体１０の間隔を確定させ、縦方向支持体１０を強く押し付けて、吸盤１１を窓ガラス２に吸着させる。横方向支持体２０は高さ方向に複数段取り付ける。このようにして、複数の縦方向支持体１０と複数の横方向支持体２０を一体化し、窓ガラス枠１内の窓ガラス２を補強する。【選択図】図１
2007120256.tif 000002
【特許請求の範囲】
【請求項１】
ガラス窓に設置される窓ガラス破損防止具であって、所定間隔で上下の窓取付枠間に取り付けられ、窓ガラスとの対向部に吸盤を縦方向に所定間隔で固定する複数の縦方向支持体と、前記複数の縦方向支持体に着脱自在に固定され、前記縦方向支持体を前記所定間隔で水平方向に保持する横方向支持体とを設けた窓ガラス破損防止具。
【請求項２】
ガラス窓の屋内側に設置される窓ガラス破損防止具であって、所定間隔で上下の窓取付枠間に取り付けられ、窓ガラスとの対向部に緩衝体を縦方向に所定間隔で固定する複数の縦方向支持体と、前記複数の縦方向支持体に着脱自在に固定され、前記縦方向支持体を前記所定間隔で水平方向に保持する横方向支持体とを設けた窓ガラス破損防止具。
【請求項３】
前記縦方向支持体は、高さ調整可能である請求項１または２に記載の窓ガラス破損防止具。
【請求項４】
前記横方向支持体は、長さ調整可能である請求項１から３のいずれかの項に記載の窓ガラス破損防止具。
【請求項５】
ガラス窓に設置される窓ガラス破損防止具であって、前記ガラス窓の全面を覆うように設置される複数個の矩形の保護枠ユニットからなり、前記保護枠ユニットは、窓ガラスに吸着する吸盤と、隣接する保護枠ユニット同士を結合する結合手段とを備えた窓ガラス破損防止具。
【請求項６】
網戸レールを有する窓取付枠に取り付けられるガラス窓用の窓ガラス破損防止具であって、所定間隔で上下の前記網戸レールに取り付けられる複数の縦方向支持体と、前記複数の縦方向支持体に着脱自在に固定され、前記縦方向支持体を前記所定間隔で水平方向に保持する横方向支持体とを設けた窓ガラス破損防止具。
【発明の詳細な説明】
【技術分野】
【０００１】
本発明は、台風や暴風時の風圧によって、家屋やアパート、マンションの窓ガラスが大きく撓んだり、破損したりするのを防止する器具に関する。
【背景技術】
【０００２】
近年の家屋やアパート、マンションにおいては、採光を良くするために窓の開口が広く、窓ガラスも一枚の寸法が大きくなっている。一方、従来の日本家屋では、風雨を防ぎ、また夜間や長期の留守時に防犯のために雨戸が備えられていたが、ガラス窓の気密性、水密性が向上したり、ガラス窓の構造が強化されたりしたこともあり、近年では雨戸がある家は、少なくなっている。
【０００３】
このように、窓ガラスの寸法が大きくなり、雨戸がない住宅の構造では、台風の時に、風圧で窓ガラスが大きく撓み、ガラスが割れるのではないかという恐怖に襲われる。特に、高層マンションの上層階などでは風圧が強いので、台風が通過してしまうまで、部屋の中で何時間も恐怖に耐える必要がある。
【０００４】
風圧や飛散物による窓ガラスの破損を防ぐために、窓ガラスにテープを貼ったり段ボール紙を貼り付けたりする人もあるが、それでも、窓枠（サッシ）自体の強度は強化されないので、風圧による撓みを少なくすることはできない。
【０００５】
このような問題を解消するものとして、特許文献１には、ゴムまたは弾性プラスチック製のマット本体の両面または片面に多数の円錐状突起を形成し、その円錐状突起間に設けた取付孔に吸盤を着脱自在に設けた吸盤付保護マットが開示されている。この吸盤付保護マットを窓ガラス等の保護したい面に取り付けることで、暴風による風圧や飛散物などの衝撃を緩和し、破損や損傷を防止するようにしている。
【０００６】
また、特許文献２には、アルミサッシ用窓ガラスにおいて、サッシフレームの窓ガラスの前面に位置する網戸用レール枠と窓ガラスの枠との隙間部に、防止板を装着することにより、台風時にも安全なガラス破損防止板が開示されている。
【０００７】
【特許文献１】実開平７−２９１２６号公報
【特許文献２】実用新案登録第３０７２６８９号公報
【発明の開示】
【発明が解決しようとする課題】
【０００８】
前掲の特許文献１に開示された吸盤付保護マットは、家屋の窓ガラスや車両のフロントガラス等、ガラスの外側に取り付けて飛散物が衝突する際の衝撃からガラスを保護するものである。しかし、マット本体はゴムまたは弾性プラスチックなどの可撓性素材で形成されているため、台風時等の風圧によって窓ガラスが大きく撓むのを防止することはできない。また、窓ガラスの外側に取り付けるので、マンションのベランダのない窓ガラスには危険で取り付けることができない。
【０００９】
また、前掲の特許文献２に開示されたガラス破損防止板は、網戸用レール枠と窓ガラスの枠との隙間部に防止板を装着するので、窓ガラスの全面が防止板で覆われることになり、外の様子が見えないため、不安である。さらに、防止板の大きさは窓ガラスとほぼ同じであるため、窓ガラスのサイズ毎に防止板を用意しなければならず、またサイズが大きいため、広い保管スペースを必要とする。
【００１０】
そこで本発明は、台風時等の風圧によって窓ガラスが大きく撓むのを防止でき、ベランダの窓ガラス等にも問題なく適用でき、さらに、組立、分解が容易で、広い保管スペースを要しない窓ガラス破損防止具を提供することを目的とする。
【課題を解決するための手段】
【００１１】
前記課題を解決するため、本発明の第１の構成は、ガラス窓に設置される窓ガラス破損防止具であって、所定間隔で上下の窓取付枠間に取り付けられ、窓ガラスとの対向部に吸盤を縦方向に所定間隔で固定する複数の縦方向支持体と、前記複数の縦方向支持体に着脱自在に固定され、前記縦方向支持体を前記所定間隔で水平方向に保持する横方向支持体とを設けた窓ガラス破損防止具である。
【００１２】
この第１の構成では、ガラス窓の屋外側の窓取付枠に、複数の縦方向支持体を所定間隔で配置し、縦方向支持体に設けられている吸盤を窓ガラスに吸着するように設置し、次いで横方向支持体で複数の縦方向支持体を固定して縦方向支持体と横方向支持体を一体化する。これにより、窓ガラス破損防止具がガラス窓の屋外側に設置されることになり、容易に組立、分解が可能で、広い保管スペースを要しない窓ガラス破損防止具を設置することができる。これにより、強風により飛散物が飛んできても、縦方向支持体と横方向支持体の格子により、窓ガラスを保護することができる。また、複数の吸盤が窓ガラスに吸着しているので、窓ガラスが強風により屋内側に撓もうとする力が分散して受けられ、撓みを少なくすることができる。
【００１３】
本発明の第２の構成は、ガラス窓の屋内側に設置される窓ガラス破損防止具であって、所定間隔で上下の窓取付枠間に取り付けられ、窓ガラスとの対向部に緩衝体を縦方向に所定間隔で固定する複数の縦方向支持体と、前記複数の縦方向支持体に着脱自在に固定され、前記縦方向支持体を前記所定間隔で水平方向に保持する横方向支持体とを設けた窓ガラス破損防止具である。
【００１４】
この第２の構成では、ガラス窓の屋内側の窓取付枠に、複数の縦方向支持体を所定間隔で配置し、縦方向支持体に設けられている緩衝体が窓ガラスに当たるようにし、次いで横方向支持体で複数の縦方向支持体を固定して縦方向支持体と横方向支持体を一体化する。これにより、窓ガラス破損防止具がガラス窓の屋内側に設置されることになり、強風による風圧が窓ガラスに加わったとき、窓ガラスを屋内側に撓ませようとする力を緩衝体が受けて撓みを少なくし、居住者に安心感を与える。もちろん、風圧を複数の緩衝体が分散して受けるので、窓ガラスの強度も強化される。
【００１５】
前記縦方向支持体は、高さ調整可能とすることができる。これにより、窓取付枠の上下の間隔に多少のずれがあっても、対応することができる。
前記横方向支持体は、長さ調整可能とすることができる。これにより、窓取付枠の左右の間隔に多少のずれがあっても、対応することができる。
【００１６】
本発明の第３の構成は、ガラス窓に設置される窓ガラス破損防止具であって、前記ガラス窓の全面を覆うように設置される複数個の矩形の保護枠ユニットからなり、前記保護枠ユニットは、窓ガラスに吸着する吸盤と、隣接する保護枠ユニット同士を結合する結合手段とを備えた窓ガラス破損防止具である。
【００１７】
この第３の構成においては、複数個の矩形の保護枠ユニットを、吸盤で窓ガラスに吸着させながら、ガラス窓の全面を覆うように縦方向および横方向に結合して一体化する。複数の吸盤が窓ガラスにかかる風圧を受けるので、撓みが小さくなるとともに、風圧が分散するので、窓ガラスの強度も強化される。
【００１８】
本発明の第４の構成は、網戸レールを有する窓取付枠に取り付けられるガラス窓用の窓ガラス破損防止具であって、所定間隔で上下の前記網戸レールに取り付けられる複数の縦方向支持体と、前記複数の縦方向支持体に着脱自在に固定され、前記縦方向支持体を前記所定間隔で水平方向に保持する横方向支持体とを設けた窓ガラス破損防止具である。
【００１９】
この第４の構成においては、ガラス窓の屋外側に設けられている網戸レールを利用して縦方向支持体を複数設置し、縦方向支持体間を横方向支持体で固定して格子状の枠を形成する。これにより、台風や強風による飛散物から窓ガラスを保護することができる。
【発明の効果】
【００２０】
本発明によれば、台風時等の風圧によって窓ガラスが大きく撓むのを防止でき、ベランダの窓ガラス等にも問題なく適用でき、さらに、組立、分解が容易で、広い保管スペースを要しない窓ガラス破損防止具を提供することができる。
【発明を実施するための最良の形態】
【００２１】
以下、本発明の実施の形態を、図面を用いて説明する。
【００２２】
＜実施の形態１＞
図１〜図４は、本発明の実施の形態１を示すものであり、図１は本実施の形態１の構成を示す全体図、図２（ａ）は本実施の形態１に用いる縦方向支持体の斜視図、（ｂ）は緩衝体としての吸盤の例を示す斜視図、図３（ａ）は吸盤を取り付けた状態の縦方向支持体の斜視図、（ｂ）は吸盤を取り付けた状態の縦方向支持体の側面図、図４は本実施の形態１に用いる横方向支持体の斜視図である。
【００２３】
これらの図に示すように、本実施の形態１においては、窓ガラス破損防止具は、縦方向支持体１０と横方向支持体２０とを組み合わせて構成するものである。図２（ａ）に示す棒状の縦方向支持体１０には、図２（ｂ）に示すようなコ字状装着具１２に固定された吸盤１１が所定間隔で取り付けられている。棒状の横方向支持体２０には、図４に示すように縦方向支持体１０の幅とほぼ一致する幅の凹部２１が形成されている。
【００２４】
以上の構成の縦方向支持体１０と横方向支持体２０を用いて窓ガラス破損防止具を組み立てるには、吸盤１１を取り付けた複数の縦方向支持体１０と横方向支持体２０を複数用意し、まず窓ガラス２の屋外側に、縦方向支持体１０を、吸盤１１を用いて窓ガラス２に軽く吸着させながら所定間隔で配置する。次いで横方向支持体２０の凹部２１に縦方向支持体１０を嵌め込み、縦方向支持体１０の間隔を確定させ、縦方向支持体１０を強く押し付けて、吸盤１１を窓ガラス２に吸着させる。横方向支持体２０は高さ方向に複数段取り付ける。このようにして、複数の縦方向支持体１０と複数の横方向支持体２０を一体化し、窓ガラス枠１内の窓ガラス２を補強する。
【００２５】
これにより、窓ガラスの屋外側に格子状の窓ガラス破損防止具が形成され、飛散物から窓ガラスを保護することができる。また、強風による風圧が窓ガラス２に加わったとき、窓ガラス２を屋内側に撓ませようとする力を吸盤１１が受けて撓みを少なくし、居住者に安心感を与える。また、風圧を複数の吸盤１１が分散して受けるので、窓ガラス２の強度も強化される。
【００２６】
＜実施の形態２＞
図５〜図７は、本発明の実施の形態２を示すものであり、図５は本実施の形態２の構成を示す全体図、図６（ａ）は本実施の形態２において用いる縦方向支持体の側面図、（ｂ）はその斜視図、図７は本実施の形態２において用いる横方向支持体の斜視図である。
【００２７】
これらの図に示すように、本実施の形態２においては、角パイプ状の縦方向支持体３０と同じく角パイプ状の横方向支持体４０を組み合わせて窓ガラス破損防止具を形成する。縦方向支持体３０は、図６に示すように上下方向にアジャスタ３１付き受板３２が設けられていて、高さ調整可能になっている。また、縦方向支持体３０には、高さ方向に所定間隔でゴム板３３付き受圧板３４がボルト３５により突出長さ調整自在に取り付けられている。また、縦方向支持体３０には、所定間隔でボルト穴３６が形成されている。
【００２８】
図７に示すように、横方向支持体４０の両端には、アジャスタ４１付き受板４２が設けられていて、長さ調整可能になっている。また、横方向支持体４０には、所定間隔でボルト挿通穴４３が形成されている。
【００２９】
以上の構成の縦方向支持体３０と横方向支持体４０を用いて窓ガラス破損防止具を組み立てるには、受圧板３４を取り付けた複数の縦方向支持体３０と横方向支持体４０を複数用意し、まず窓ガラス２の周囲の窓ガラス枠１が嵌め込まれている窓取付枠３の屋内側に上下の受板３２が当たるように高さを調整しながら、また受圧板３４が軽く窓ガラス２に当たるようにしながら、縦方向支持体３０を取り付ける。次いで横方向支持体４０のボルト挿通穴４３と縦方向支持体３０のボルト穴３６が一致するようにしてボルトにより横方向支持体４０を縦方向支持体３０に取り付ける。複数の縦方向支持体３０と複数の横方向支持体４０を一体化し、縦方向支持体３０の受板３２と横方向支持体４０の受板４２を、アジャスタ３１，４１を用いて伸張させ、窓取付枠３に確実に固定する。その後、ボルト３５により受圧板３４の窓ガラス２への当たり具合を均一に調整する。なお、窓ガラス２と受圧板３４との間に段ボール板やベニヤ板等の保護板を介在させることにより、窓ガラス全面を固定することもできる。
【００３０】
これにより、強風による風圧が窓ガラス２に加わったとき、窓ガラス２を屋内側に撓ませようとする力を受圧板３４が受けて撓みを少なくし、居住者に安心感を与える。また、風圧を複数の受圧板３４が分散して受けるので、窓ガラス２の強度も強化される。
【００３１】
＜実施の形態３＞
図８〜図１１は、本発明の実施の形態３を示すものであり、図８（ａ）〜（ｄ）は本実施の形態３に用いる保護枠ユニットの正面図、図９は隣接した保護枠ユニットの結合状態を示す正面図、図１０は隣接した保護枠ユニットの拡大平面図、図１１は上下の保護枠ユニットを連結する連結具の要部拡大図である。
【００３２】
これらの図に示すように、本実施の形態３においては、窓ガラス破損防止具は、ガラス窓の全面を覆うように設置される複数個（本例では４個を示している）の矩形の保護枠ユニット５０（５０ａ〜５０ｄ）からなっている。各保護枠ユニット５０は、周囲のフレーム５１と、このフレーム５１に基端部が固定され、窓ガラスに吸着する吸盤５２とを有しており、フレーム５１の内部は、ワイヤ５３が格子状に張られている。フレーム５１の一方には、図１０に示すように溝５４が形成され、他方にはその溝５４に嵌合する凸部５５が形成されていて、図９に示すように、隣接する保護枠ユニット５０同士を結合できるようになっている。
【００３３】
また、上下の保護枠ユニット５０は、図１１に示すように、ほぼコ字状の連結具５６により結合できるようになっている。
【００３４】
この実施の形態３においては、複数個の矩形の保護枠ユニット５０を、吸盤５２で窓ガラスの屋外側に吸着させながら、ガラス窓の全面を覆うように縦方向および横方向に結合して一体化する。複数の吸盤５２が窓ガラスにかかる風圧を受けるので、撓みが小さくなるとともに、風圧が分散するので、窓ガラスの強度も強化される。
【００３５】
＜実施の形態４＞
図１２および図１３は本発明の実施の形態４を示すものであり、図１２は網戸レールを有する窓取付枠に設置されたガラス窓の断面図、図１３（ａ）は本実施の形態４において用いる縦方向支持体を示す斜視図、（ｂ）はその側面図である。
【００３６】
本実施の形態４においては、図１２に示すような窓サッシ６０に、引き違いガラス窓６１，６２と網戸６３を装着するようになっているとき、網戸６３を外して、網戸レール６４に縦方向支持体と横方向支持体を組み込むようにしたものである。図１３に示すように、本実施の形態４の縦方向支持体７０は、各パイプ状の本体７１の上下に同じく角パイプ状のロッド７２，７３が嵌め込まれており、その上下には、網戸レール６４に装着するための溝を設けたレール受け７４，７５が取り付けられている。ロッド７２，７３には所定間隔でボルト穴７６が設けられており、任意のボルト穴７６にねじ７７をねじ込んで本体７１を所定の高さで固定することにより、高さを調節することができるようになっている。
【００３７】
この窓ガラス破損防止具を使用するには、窓サッシ６０から網戸６３を外し、縦方向支持体７０を所定本数、網戸レール６４に取り付け、図４に示した横方向支持体２０を用いて縦方向支持体７０を一体化することにより、風による飛散物が窓ガラスに衝突することを防ぐことができる。
【産業上の利用可能性】
【００３８】
本発明は、台風時等の風圧によって窓ガラスが大きく撓むのを防止でき、ベランダの窓ガラス等にも問題なく適用でき、さらに、組立、分解が容易で、広い保管スペースを要しない窓ガラス破損防止具として、建築部材の分野において利用することができる。
【図面の簡単な説明】
【００３９】
【図１】本発明の実施の形態１の構成を示す全体図である。
【図２】（ａ）は本実施の形態１に用いる縦方向支持体の斜視図、（ｂ）は緩衝体としての吸盤の例を示す斜視図である。
【図３】（ａ）は吸盤を取り付けた状態の縦方向支持体の斜視図、（ｂ）は吸盤を取り付けた状態の縦方向支持体の側面図である。
【図４】本実施の形態１に用いる横方向支持体の斜視図である。
【図５】本発明の実施の形態２の構成を示す全体図である。
【図６】（ａ）は本実施の形態２において用いる縦方向支持体の側面図、（ｂ）はその斜視図である。
【図７】本実施の形態２において用いる横方向支持体の斜視図である。
【図８】（ａ）〜（ｄ）は本発明の実施の形態３に用いる保護枠ユニットの正面図である。
【図９】隣接した保護枠ユニットの結合状態を示す正面図である。
【図１０】隣接した保護枠ユニットの拡大平面図である。
【図１１】上下の保護枠ユニットを連結する連結具の要部拡大図である。
【図１２】網戸レールを有する窓取付枠に設置されたガラス窓の断面図である。
【図１３】（ａ）は本発明の実施の形態４において用いる縦方向支持体を示す斜視図、（ｂ）はその側面図である。
【符号の説明】
【００４０】
１  窓ガラス枠
２  窓ガラス
３  窓取付枠
１０  縦方向支持体
１１  吸盤
１２  コ字状装着具
２０  横方向支持体
２１  凹部
３０  縦方向支持体
３１  アジャスタ
３２  受板
３３  ゴム板
３４  受圧板
３５  ボルト
３６  ボルト穴
４０  横方向支持体
４１  アジャスタ
４２  受板
４３  ボルト挿通穴
５０（５０ａ〜５０ｄ）  保護枠ユニット
５１  フレーム
５２  吸盤
５３  ワイヤ
５４  溝
５５  凸部
５６  連結具
６０  窓サッシ
６１，６２  ガラス窓
６３  網戸
６４  網戸レール
７０  縦方向支持体
７１  本体
７２，７３  ロッド
７４．７５  レール受け
７６  ボルト穴
７７  ねじ
【図１】
2007120256.tif 000003
【図２】
2007120256.tif 000004
【図３】
2007120256.tif 000005
【図４】
2007120256.tif 000006
【図５】
2007120256.tif 000007
【図６】
2007120256.tif 000008
【図７】
2007120256.tif 000009
【図８】
2007120256.tif 000010
【図９】
2007120256.tif 000011
【図１０】
2007120256.tif 000012
【図１１】
2007120256.tif 000013
【図１２】
2007120256.tif 000014
【図１３】
2007120256.tif 000015